(57)【要約】【課題】  省電力化及び撮影光学系を保護できる立体撮影装置を提供する。【解決手段】  デジタルカメラ２は第１及び第２レンズ鏡筒５，６をそれぞれ含む第１及び第２撮像部を備えており、この第１及び第２撮像部による立体撮影モードと第１撮像部だけを使用した通常撮影モードとが切替可能である。通常撮影モードでは、第１撮像部を起動状態にし、第２撮像部を機能停止状態にする。すると、第１レンズ鏡筒５が撮影位置に繰り出すとともに、第１撮影レンズバリアが開き位置に移動して、第１撮影レンズ８を露呈させる。また、第２レンズ鏡筒６はカメラ本体の収納位置に沈胴したままで、第２レンズバリア６は閉じ位置で第２撮影レンズを遮蔽している。【選択図】        図３
2005051505.tif 000002
【特許請求の範囲】
【請求項１】
一対の撮像部を用いて撮影を行う立体撮影モードと、前記一対の撮像部の一方のみを用いて撮影を行う通常撮影モードとを有し、撮影モード切替手段により前記立体撮影モードと前記通常撮影モードとが切り替えられる立体撮影装置において、
前記各撮像部に設けられた撮影レンズの前面を遮蔽または露呈するレンズバリアを備え、前記通常撮影モードの時には、一方の撮像部を起動状態にし、他方の撮像部を機能停止状態にするとともに、前記一方の撮像部では前記レンズバリアは前記撮影レンズを露呈し、前記他方の撮像部では前記レンズバリアは前記撮影レンズを遮蔽することを特徴とする立体撮影装置。
【請求項２】
前記撮影レンズが組み込まれ、装置本体から光軸方向に突出した撮影位置と装置本体内に収納した収納位置との間で繰り出し及び沈胴するレンズ鏡筒を備え、前記通常撮影モードの時には、前記起動状態の撮像部では前記レンズ鏡筒が撮影位置に突出しており、前記機能停止状態の撮像部では前記レンズ鏡筒が収納位置に収納されていることを特徴とする請求項１記載の立体撮影装置。
【発明の詳細な説明】
【技術分野】
【０００１】
本発明は、一対の撮像部を有し、２次元撮影と３次元撮影とを選択的に実行可能な立体撮影装置に関するものである。
【背景技術】
【０００２】
近年、デジタルカメラが一般的に普及している。このようなデジタルカメラには、ＣＣＤイメージセンサ等の撮像手段が設けられており、この撮像手段が、撮影レンズによって結像された被写体像を画像データとして取得し、この画像データはメモリカード等の記憶媒体に記憶される。
【０００３】
上記のデジタルカメラの中には、第１及び第２の撮像手段と、各撮像手段に対応した撮影レンズなどから構成される二つの撮像部を一つのデジタルカメラに備えたものがある。このデジタルカメラは、第１及び第２の撮像手段によって同一被写体に対して異なる角度から同時に撮影を行い、右眼用の画像データと左眼用の画像データを取得する。そして、これらの画像データから３次元画像データを生成し、右眼には右眼用の画像を、左眼には左眼用の画像を見せるように表示することで、両眼視差を利用した立体画像を得るようになっている。
【０００４】
このデジタルカメラは、第１及び第２の撮像手段によって３次元撮影（以下、立体撮影という）を行う立体撮影モードと、第１及び第２の撮像手段のうちいずれか一方の撮像手段によって２次元撮影（以下、通常撮影という）を行う通常撮影モードとを備えており、モード切替手段によって立体撮影モードと通常撮影モードとの切替が可能である。なお、通常撮影を行う際には、撮影を行う一方の撮像手段にだけ給電を行い、他方の撮像手段には給電を停止している（例えば、特許文献１）。    
【０００５】
上記特許文献１のデジタルカメラでは、通常撮影を行う際に、第１及び第２の撮像手段（ＣＣＤイメージセンサ）のうちどちらか一方の撮像手段の給電を停止させて省電力化に寄与しているが、一方の撮像手段への給電を停止しても、この撮像手段から取得した画像データを処理する処理回路などには給電が行われている。そのため、効果的な省電力化になっていない。また、撮影レンズを露呈及び遮蔽するために撮影レンズの前面に設けられたレンズバリアや、撮影光学系を組み込み、撮影位置と収納位置との間で繰り出し及び沈胴するレンズ鏡筒を備えた立体撮像装置に関しては何ら記載されていない。
【特許文献１】特開平８−３１７４２５号公報
【発明の開示】
【発明が解決しようとする課題】
【０００６】
解決しようとする問題点は、レンズバリアやレンズ鏡筒を備えた立体撮像装置の省電力化及び撮影レンズの保護である。
【課題を解決するための手段】
【０００７】
本発明の立体撮影装置は、一対の撮像部を用いて撮影を行う立体撮影モードと、前記一対の撮像部の一方のみを用いて撮影を行う通常撮影モードとを有し、撮影モード切替手段により前記立体撮影モードと前記通常撮影モードとが切り替えられる立体撮影装置において、前記各撮像部に設けられた撮影レンズの前面を遮蔽または露呈するレンズバリアを備え、前記通常撮影モードの時には、一方の撮像部を起動状態にし、他方の撮像部を機能停止状態にするとともに、前記一方の撮像部では前記レンズバリアは前記撮影レンズを露呈し、前記他方の撮像部では前記レンズバリアは前記撮影レンズを遮蔽するものである。
【０００８】
また、前記撮影レンズが組み込まれ、装置本体から光軸方向に突出した撮影位置と装置本体内に収納した収納位置との間で繰り出し及び沈胴するレンズ鏡筒を備え、前記通常撮影モードの時には、前記起動状態の撮像部では前記レンズ鏡筒が撮影位置に突出しており、前記機能停止状態の撮像部では前記レンズ鏡筒が収納位置に収納させてもよい。
【発明の効果】
【０００９】
本発明の立体撮影装置は、各撮像部に設けられた撮影レンズの前面を遮蔽または露呈するレンズバリアを備え、通常撮影モードの時には、一方の撮像部を起動状態にし、他方の撮像部を機能停止状態にするとともに、一方の撮像部ではレンズバリアは撮影レンズを露呈し、他方の撮像部ではレンズバリアは撮影レンズを遮蔽するようにしたので、効果的な省電力化を行うことができ、撮影可能な画像枚数または撮影時間を増加させることが可能である。さらに、通常撮影時には使用しない方のレンズバリアが遮蔽するので、撮影レンズを塵埃や傷などから保護することができる。
【００１０】
また、撮影レンズが組み込まれたレンズ鏡筒を各撮像部に備え、通常撮影モードの時には、起動状態の撮像部ではレンズ鏡筒が撮影位置に突出させ、機能停止状態の撮像部ではレンズ鏡筒が収納位置に収納させたので、通常撮影時に使用していない撮像部の撮影レンズを保護することができるとともに、立体撮影装置がコンパクトになるために利便性が向上する。
【発明を実施するための最良の形態】
【００１１】
本発明の立体撮影装置をデジタルカメラに適用した場合について説明を行う。図１は、デジタルカメラの外観斜視図である。このデジタルカメラ２は、ＣＣＤイメージセンサや撮影レンズ等からなる撮像部を２つ有している。デジタルカメラ２の前面には、第１及び第２レンズ鏡筒５、６やストロボ発光部７が設けられている。第１及び第２レンズ鏡筒５、６は、後述する第１及び第２撮像部の一部を構成しており、第１及び第２撮影レンズ８、９や第１及び第２レンズバリア１０、１１がそれぞれ組み込まれている。第１及び第２レンズ鏡筒５、６は、カメラ本体の水平方向に一定間隔を保って並設されており、電源オフまたは記録した画像の再生時には図中点線で示すように、カメラ本体内の収納位置に沈胴しており、立体撮影時には図中実線で示すように、撮影位置に繰り出す。ストロボ発光部７は、被写体に向けてストロボ光を照射する。また、デジタルカメラ２の上面には、シャッタレリーズ操作に用いられるシャッタボタン１５が設けられている。
【００１２】
図２に示すように、デジタルカメラ２の背面には、電源スイッチ１６、モード切替ツマミ１７、撮影モード切替ツマミ１８、動画選択ボタン１９、ズームボタン２０、メニューボタン２１、カーソル操作ボタン２２と接眼ビューファインダ２３、ＬＣＤパネル２４が設けられている。電源スイッチ１６は、デジタルカメラ２の電源のオン／オフ切替えを行う。モード切替ツマミ１７は、記録モードと再生モードとを切り替える。撮影モード切替ツマミ１８は、記録モードの時に立体撮影モードと通常撮影モードとを切り替える。動画選択ボタン１９は、記録モードの時に押されると立体撮影又は通常撮影で動画の撮影を行う。さらに、ズームボタン２０は、ズーミングを行う際に撮影者に操作され、第１及び第２撮影レンズ８、９のズームレンズを、ワイド端とテレ端との間で光軸方向に進退移動させる。これにより、ズーム倍率が変化する。メニューボタン２１は、撮影者により押圧操作され、ＬＣＤパネル２４にメニュー画面が表示される。カーソル操作ボタン２２は、このメニュー画面内でカーソルを移動させる時に撮影者により操作される。
【００１３】
ＬＣＤパネル２４は、再生モード時に記録した画像を表示させる。また、記録モード時には電子ビューファインダとして使用する。接眼ビューファインダ２３は、記録モード時にＬＣＤパネル２４を電子ビューファインダとして使用しない場合に、第１及び第２撮影レンズ８、９を通して撮像される被写体画像をリアルタイムで表示する。
【００１４】
デジタルカメラ２で通常撮影を行う場合は、図３に示すように、第１レンズ鏡筒５を撮影位置に繰り出し、第２レンズ鏡筒６を収納位置に沈胴させる。これにより、通常撮影は第１レンズ鏡筒５を含む第１撮像部を起動状態、第２レンズ鏡筒６が含まれる第２撮像部を機能停止状態にして、第１撮像部だけで撮影が行われる。この時、第１レンズ鏡筒５が撮影位置に繰り出すと、図４に示すように、第１レンズバリア１０は第１撮影レンズ８を露呈させる開き位置に移動する。また、収納位置に沈胴している第２レンズ鏡筒６に設けられた第２レンズバリア１１は、第２撮影レンズ９を閉じ位置で遮蔽する。この様に、第１及び第２レンズバリア１０、１１は、撮影レンズを露呈させる開き位置と撮影レンズを遮蔽する閉じ位置との間で移動自在に設けられている。また、図１に示すように、デジタルカメラ２で立体撮影を行う場合は、第１及び第２レンズ鏡筒５、６はともに撮影位置に繰り出すので、第１及び第２レンズバリア１０、１１は開き位置に移動して第１及び第２撮影レンズ８、９を露呈させる。また、再生時の場合は第１及び第２レンズ鏡筒５、６はともに収納位置に沈胴するので、第１及び第２レンズバリア１０、１１はともに閉じ位置で第１及び第２撮影レンズ８、９を遮蔽する。
【００１５】
図５は、デジタルカメラ２の電気的構成を示すブロック図である。第１撮像部３０は、第１レンズ鏡筒５、第１撮影レンズ８、第１レンズバリア１０、繰出しモータ３１、ズームモータ３２、第１モータドライバ３３、第１ＣＣＤ３５、第１タイミングジェネレータ３６、第１ＣＤＳ３７、第１ＡＭＰ３８、及び第１Ａ／Ｄ変換器３９で構成されている。
【００１６】
第１撮影レンズ８は、ズームレンズ、フォーカスレンズ、及び絞り等を含んで構成されており、これらの第１撮影レンズ８と第１レンズバリア１０はともに第１レンズ鏡筒５に組み込まれている。第１レンズ鏡筒５の撮影位置への繰り出しと収納位置への沈胴、及び第１レンズバリア１０の開き位置と閉じ位置への移動は、第１繰出しモータ３１の駆動によって行われる。また、第１撮影レンズ８のズームレンズやフォーカスレンズの光軸方向への進退移動は第１ズームモータ３２の駆動によって行われる。第１繰出しモータ３１及び第１ズームモータ３２はともに第１モータドライバ３３に接続されており、第１モータドライバ３３はデジタルカメラ２の全体の制御を行うＣＰＵ４０に接続されている。ＣＰＵ４０は、第１モータドライバ３３を制御することで、第１繰出しモータ３１及び第１ズームモータ３２の駆動を行っている。
【００１７】
第１撮影レンズ８の背後には、撮像手段である第１ＣＣＤ３５が配置されている。第１撮影レンズ８は、この第１ＣＣＤ３５の受光面に被写体像を結像させる。第１ＣＣＤ３５は、第１タイミングジェネレータ３６を介してＣＰＵ４０に接続されており、ＣＰＵ４０が第１タイミングジェネレータ３６を制御することにより、タイミング信号（クロックパルス）を発生させる。第１ＣＣＤ３５は、このタイミング信号が入力されることにより駆動する。
【００１８】
また、第１ＣＣＤ３５は、光電変換により被写体像を電気信号に変換し、この画像信号を相関二重サンプリング回路である第１ＣＤＳ３７に送信する。第１ＣＤＳ３７は、第１ＣＣＤ３５から画像信号を取得して、第１ＣＣＤ３５の各セルの蓄積電荷量に正確に対応したＲ，Ｇ，Ｂの画像データとして出力する。第１ＣＤＳ３７から出力された画像データは、増幅器（ＡＭＰ）３８で増幅されて、さらに、Ａ／Ｄ変換器３９でデジタルデータに変換される。このデジタル化された画像データは、第１Ａ／Ｄ変換器３９から右眼用の画像データとして画像入力コントローラ６０に出力される。
【００１９】
第２撮像部５０は、第１撮像部３０と同様の構成であり、第２レンズ鏡筒６、第２撮影レンズ９、第２レンズバリア１１、第２繰出しモータ５１、第２ズームモータ５２、第２モータドライバ５３、第２ＣＣＤ５５、第２タイミングジェネレータ５６、第２ＣＤＳ５７、第２ＡＭＰ５８、及び第２Ａ／Ｄ変換器５９で構成されている。第２Ａ／Ｄ変換器５９は、第１Ａ／Ｄ変換器３９と同様に、左眼用の画像データを画像入力コントローラ６０に出力する。
【００２０】
画像入力コントローラ６０は、データバス６１を介してＣＰＵ４０に接続されている。ＣＰＵ４０は、画像入力コントローラ６０を制御して、画像データをビデオメモリ６３、あるいはバッファメモリ６４に記憶させる。
【００２１】
ビデオメモリ６３は、ＬＣＤパネル２４を電子ビューファインダとして使用する際に、解像度の低い画像データが一時的に記憶される。ビデオメモリ６３に記録された画像データは、データバス６２を介してＬＣＤドライバ６５に送信される。ＬＣＤドライバ６５は、ＬＣＤパネル２４に画像を表示できるように、画像データに対して信号処理を施して、画像をＬＣＤパネル２４に表示させる。
【００２２】
バッファメモリ６４は、撮像された高解像度の画像データが一時的に記憶される。また、ＣＰＵ４０には、データバス６２を介して画像信号処理回路６６、及び立体画像処理回路６７が接続されている。画像信号処理回路６６は、撮像された高解像度の画像データがバッファメモリ６４に記憶されている間に、各種画像処理、例えば、階調変換、色変換、ハイパートーン処理、及びハイパーシャープネス処理等を施す。立体画像処理回路６７は、立体撮影で画像記録を行う時に、第１ＣＣＤ３５及び第２ＣＣＤ５５にて取得された右眼用と左眼用の画像データに対して、合成処理等の所定の処理を施すことにより、立体画像データに変換する。
【００２３】
また、ＣＰＵ４０には、データバス６２を介して圧縮・伸張回路６８、メディアコントローラ６９が接続されている。ＣＰＵ４０は、この圧縮・伸張回路６８を制御して、バッファメモリ６４に記憶された画像データに対して、ＪＰＥＧ方式等の圧縮形式により圧縮処理を施す。その後、ＣＰＵ４０は、メディアコントローラ６９を制御して、圧縮処理された画像データをメモリカード等の記録メディア７０に記録させる。この記録メディア７０に記録された画像データを再生する場合は、ＣＰＵ４０がメディアコントローラ６９を制御して、記録メディア７０から画像データを読み出し、さらに、圧縮・伸張回路６８を制御して、圧縮された画像データの伸張処理を行う。ＣＰＵ４０は、ＬＣＤドライバ６５を制御して、この画像データをＬＣＤパネル２４に表示する。
【００２４】
ＣＰＵ４０には、データバス６２を介してＡＦ検出回路７２、ＡＥ／ＡＷＢ検出回路７３に接続されている。ＣＰＵ４０は、ＡＦ検出回路７２を制御して、第１及び第２撮像部３０，５０により取得した画像データに基づいて、第１撮影レンズ８及び第２撮影レンズ９のフォーカスレンズの焦点調整が撮影に最適となるＡＦ検出値を検出させ、このＡＦ検出値に基づいて第１及び第２モータドライバ３３、５３を制御して、それぞれのフォーカスレンズを最適な位置に移動させる。また、ＣＰＵ４０は、ＡＥ／ＡＷＢ検出回路７３を制御して、第１及び第２撮３０、５０により取得した画像データに基づいて、露光調整及びホワイトバランス補正が撮影に最適となるＡＥ／ＡＷＢ検出値を検出させ、このＡＥ／ＡＷＢ検出値に基づいて、露光量とホワイトバランス補正が最適となるように、絞り、第１及び第２ＣＣＤ３５、５５等の制御を行う。
【００２５】
また、ＣＰＵ４０には、データバス６２を介して音声入力処理回路７５が接続されている。記録モード時に動画選択ボタン１９が押されると、ＣＰＵ４０は、音声入力処理回路７５を制御して、ステレオマイクＡＭＰ７６を介して、マイク７７が取得した音声データを取得する。この音声データは、画像データと同様に、記録メディア７０に記憶される。
【００２６】
また、データバス６２には、音声出力処理回路８０を介してスピーカ８１が接続されており、ＣＰＵ４０は、記録メディア７０に記録された音声データを再生する際に、音声出力処理回路８０を制御してスピーカ８１から音声を出力させる。
【００２７】
ＣＰＵ４０には、クロックジェネレータ８５が接続されている。ＣＰＵ４０は、このクロックジェネレータ８５を制御することにより、タイミング信号（クロックパルス）を発生させて、このタイミング信号を各動作ブロックへ供給することにより各動作ブロックの制御を行っている。また、ＣＰＵ４０には、電源部８６が接続されており、ＣＰＵ４０が、電源部８６を制御することにより、各動作ブロックへの給電を制御している。
【００２８】
シャッタボタン１５は、２段押しのスイッチとなっている。撮影者がＬＣＤパネル２４または接眼ビューファインダ２３を使用してフレーミングを行った後に、シャッタボタン１５を軽く押圧（半押し）すると、露光調整や、第１及び第２撮影レンズ８，９の焦点調整や露光調整等の各種撮影準備処理が施される。この半押しされた状態では、ＡＦ検出値、及びＡＥ／ＡＷＢ検出値のデータは、シャッタボタン１５を離すまで固定される。この状態でシャッタボタン１５をもう一度強く押圧（全押し）すると、１画像分の画像データが、記録メディア７０に記録される。なお、動画撮影の場合には、シャッターボタン１５が全押しされると所定の時間だけ動画撮影が行われる。
【００２９】
次に、各モードにおける機能停止状態について、図６及び図７の表を用いて説明を行う。モード切替ツマミ１７が記録モードに設定され、且つ撮影モード切替ツマミ１８が立体撮影モードに設定された場合には、ＣＰＵ４０は、図６（Ａ）に示すように、立体撮影時に必要としない機能を有する動作ブロック、つまり、音声出力処理回路８０、及びスピーカ８１の動作ブロックの機能を停止させ、立体撮影時に必要な機能を有する動作ブロックを動作可能状態にする。つまり、第１及び第２撮像部３０，５０を構成する動作ブロックの全てが起動状態となっているので、ＣＰＵ４０からの指令によって第１及び第２繰出しモータ３１、５１は、図７（Ｄ）に示すように、第１及び第２レンズ鏡筒５、６を撮影位置に繰り出すとともに、第１及び第２レンズバリア１０，１１は開き位置に移動して第１及び第２撮影レンズ８，９が露呈する。そして、ＣＰＵ４０は、シャッタボタン１５を半押しして検出されたＡＦ検出値、及びＡＥ／ＡＷＢ検出値に基づいて、起動状態にされた動作ブロックを制御して立体撮影を行う。
【００３０】
モード切替ツマミ１７が撮影モードに設定され、且つ撮影モード切替ツマミ１８が通常撮影モードに設定された場合には、ＣＰＵ４０は、図６（Ｂ）に示すように、通常撮影時に必要としない機能を有する動作ブロック、つまり、第２繰出しモータ５１、第２ズームモータ５２、第２モータドライバ５３、第２ＣＣＤ５５、第２タイミングジェネレータ５６、第２ＣＤＳ５７、第２ＡＭＰ５８、第２Ａ／Ｄ変換器５９、立体画像信号処理部６７、音声出力処理回路８０、及びスピーカ８１の動作ブロックの機能を停止させる。また、ＣＰＵ４０は、通常撮影時に必要な機能を有する動作ブロックを起動状態にする。つまり、第１撮像部３０は起動状態となり、第２撮像部５０は動作停止状態となっているため、図３及び図７（Ｅ）にも示すように、ＣＰＵ４０からの指令により第１繰出しモータ３１は、第１レンズ鏡筒５を撮影位置に繰り出すとともに、第１レンズバリア１０は開き位置に移動させて第１撮影レンズ８を露呈させる。また、第２レンズ鏡筒６は収納位置に収納され、第２レンズバリア１１は閉じ位置で第２撮影レンズ９を遮蔽する。ＣＰＵ４０は、シャッタボタン１５が半押しして得られる各種検出値に基づいて、起動状態にされた動作ブロックを制御して通常撮影を行う。
【００３１】
また、モード切替ツマミ１７が再生モードに設定されている場合には、ＣＰＵ４０は、図６（Ｃ）に示すように、再生の動作に必要としない機能を有する動作ブロック、つまり、第１繰出しモータ３１、第１ズームモータ３２、第１モータドライバ３３、第１ＣＣＤ３５、第１タイミングジェネレータ３６、第１ＣＤＳ３７、第１ＡＭＰ３８、第１Ａ／Ｄ変換器３９、、第２繰出しモータ５１、第２ズームモータ５２、第２モータドライバ５３、第２ＣＣＤ５５、第２タイミングジェネレータ５６、第２ＣＤＳ５７、第２ＡＭＰ５８、第２Ａ／Ｄ変換器５９、画像入力コントローラ６０、立体画像信号処理部６７、ＡＦ検出回路７２、ＡＥ／ＡＷＢ検出回路７３、音声入力処理回路７５、ステレオマイクＡＭＰ７６、及びマイク７７の動作ブロックの機能を停止させる。これにより、第１及び第２撮像部３０、５０を構成する全てのブロックは機能停止状態になり、図１及び図７（Ｆ）に示すように、第１及び第２レンズ鏡筒５、６ともに収納位置に収納され、第１及び第２レンズバリア１０、１１は、閉じ位置で第１及び第２撮影レンズ８，９を遮蔽する。また、ＣＰＵ４０は、起動状態にした動作ブロックを制御して画像をＬＣＤパネル２４に再生する。
【００３２】
このように、ＣＰＵ４０が各撮影モードに基づいて、必要な動作ブロックのみを起動状態にし、必要のない動作ブロックを機能停止状態にするので、使用電力を低減することができる。なお、動作ブロックの機能を停止する場合、ＣＰＵ４０が電源部８６を制御して、機能を停止させる動作ブロックへの電源供給を停止させる。また、ＣＰＵ４０が、第１及び第２タイミングジェネレータ３６、５６、クロックジェネレータ８５を制御して、機能を停止させる動作ブロックへのクロックパルスの供給を停止させても良い。また、機能を停止させる動作ブロックへの電源供給とクロックパルスの供給の両方を停止させても良い。または、電源供給もしくはクロックパルスのどちらか一方を停止させても良い。
【００３３】
次に、上記構成のデジタルカメラ２の作用について、図８のフローチャートを用いて説明を行う。ＣＰＵ４０は、記録モードに設定されているか否かの判定を行う。記録モードに設定されていると判定された場合、ＣＰＵ４０は、立体撮影モードに設定されているか否かの判定を行う。立体撮影モードに設定されていると判定された場合には、ＣＰＵ４０が、立体撮影の記録時に必要としない動作ブロック（図６（Ａ）に示す動作ブロック）の機能を停止させる。これにより、第１及び第２撮像部３０、５０は共に起動状態となるので、第１及び第２レンズ鏡筒５、６が撮影位置に繰り出し、第１及び第２レンズバリア１０、１１は開き位置に移動して、各撮影レンズ８、９を露呈させる（図７（Ｄ）参照）。ＣＰＵ４０は、起動状態にされている動作ブロックを制御することにより立体撮影を行う。
【００３４】
また、立体撮影モードに設定されていない（通常撮影モードである）と判定された場合には、ＣＰＵ４０が、通常撮影の記録時に必要としない動作ブロック（図６（Ｂ）に示す動作ブロック）の機能を停止させる。これにより、第１撮像部３０は起動状態、第２撮像部５０は機能停止状態になるので第１レンズバリア１０は開き位置に移動し、第１レンズ鏡筒５は撮影位置に繰り出し、第２レンズバリア１１は閉じ位置で第２撮影レンズ９を遮蔽し、第２レンズ鏡筒６は収納位置に沈胴する（図７（Ｅ）参照）。ＣＰＵ４０は、記録時に必要な動作ブロックを起動状態にして通常撮影を行う。
【００３５】
また、記録モードではない（再生モード）と判定された場合、ＣＰＵ４０は、再生に必要のない動作ブロック（図６（Ｃ）に示す動作ブロック）の機能を停止させる。この時、第１及び第２撮像部３０、５０を構成する全てのブロックが機能停止状態なので第１及び第２レンズ鏡筒５、６は収納位置に沈胴し、第１及び第２レンズバリア１０、１１は閉じ位置で第１及び第２撮影レンズ８，９を遮蔽した状態になる（図７（Ｆ）参照）。ＣＰＵ４０は再生に必要な動作ブロックを起動状態にする。ＣＰＵ４０は、起動状態にした動作ブロックを制御して、記録メディア７０に記録した画像データをＬＣＤパネル２４に再生表示させる。したがって、バッテリの省電力化に寄与することができ、機能停止状態にしている撮影光学系を塵埃や傷つくことから守ることができる。
【００３６】
なお、上記実施例では、通常撮影時に第１撮像部３０を用いて撮影を行ったが、第１撮像部３０を機能停止状態、第２撮像部５０を起動状態にして通常撮影を行ってもよい。また、開き位置と閉じ位置との間を移動自在な第１及び第２レンズバリア１０、１１と繰り出し及び沈胴する第１及び第２レンズ鏡筒６、７を備えたデジタルカメラを例に挙げたが、これに限らず、一対のレンズバリアもしくは一対のレンズ鏡筒のどちらか一方だけを備えたデジタルカメラに本発明を用いてもよい。
【００３７】
また、第１及び第２レンズバリア１０、１１は各撮影レンズ８、９だけを遮蔽するようにしたが、第１及び第２撮影レンズ８，９だけでなく、収納位置に沈胴している第１及び第２レンズ鏡筒５、６の前面を遮蔽するように第１及び第２レンズバリア１０、１１をカメラ本体に設けて、撮影時には第１及び第２レンズバリア１０，１１の開き位置への移動に伴って、第１及び第２レンズ鏡筒５、６が撮影位置に繰り出すタイプのデジタルカメラに本発明を用いてもよい。更に、第１及び第２レンズ鏡筒５、６が収納位置に沈胴している際に、一枚のレンズバリアで第１及び第２レンズ鏡筒５、６の前面を遮蔽し、通常撮影の際には、レンズバリアが第１及び第２レンズ鏡筒５、６のどちらか一方だけを露呈するように移動させ、立体撮影時には第１及び第２レンズ鏡筒５、６をともに露呈させるようにしてもよい。
【図面の簡単な説明】
【００３８】
【図１】デジタルカメラの外観斜視図である。
【図２】デジタルカメラの背面からの外観斜視図である。
【図３】通常撮影時のデジタルカメラの外観斜視図である。
【図４】レンズバリアの開き位置と閉じ位置を示す説明図である。
【図５】デジタルカメラの電気的構成を示した説明図である。
【図６】機能停止する動作ブロックを各モード毎に示した説明図である。
【図７】レンズバリアとレンズ鏡筒の動作を各モード毎にを示した説明図である。
【図８】デジタルカメラの撮影処理を説明するフローチャートである。
【符号の説明】
【００３９】
２    デジタルカメラ
５    第１レンズ鏡筒
６    第２レンズ鏡筒
１０    第１レンズバリア
１１    第２レンズバリア
１７    モード切替ツマミ
１８    撮影モード切替ツマミ
３０    第１撮像部
４０    ＣＰＵ
５０    第２撮像部
【図１】
2005051505.tif 000003
【図２】
2005051505.tif 000004
【図３】
2005051505.tif 000005
【図４】
2005051505.tif 000006
【図５】
2005051505.tif 000007
【図６】
2005051505.tif 000008
【図７】
2005051505.tif 000009
【図８】
2005051505.tif 000010